(57)【要約】【課題】ケーブルの端部に取り付けられると共にシールド部材を備えた多極のＬ型コネクタの小型化を図る。【解決手段】多芯ケーブル７１に取り付けられる共にシールド部材３３を備えた多極のＬ型コネクタ１において、コネクタハウジング２内に固定されたシールド部材３３には接触片４１が設けられ、コネクタハウジング２内に押圧部材４４が取り付けられることにより、接触片４１が多芯ケーブル７１の外部導体７５に押し付けられ、シールド部材３３と外部導体７５とが電気的に接続される。【選択図】図３
2018045835.tif 000002
【特許請求の範囲】
【請求項１】
複数の内部ケーブルと、前記複数の内部ケーブルのうちの少なくとも一部の内部ケーブルの外周側を包囲する外部導体とを備えたケーブルの端部に取り付けられるコネクタであって、
前記複数の内部ケーブルとそれぞれ接続される複数の端子と、
軸方向がＸ方向である筒状の第１の収容部および軸方向がＸ方向と交差するＺ方向である筒状の第２の収容部を有し、前記第１の収容部の一端部には前記ケーブルを挿入するケーブル挿入部が形成され、前記第１の収容部の他端部と前記第２の収容部の一端部とがそれぞれの内部の空間が連通するように互いに結合し、前記第２の収容部の他端部には前記複数の端子を配置する端子配置部が形成されたハウジングと、
前記ハウジング内に配置され、シールド部材本体と外部導体接触部とを備え、前記シールド部材本体は前記複数の端子の外周側の少なくとも一部または前記複数の内部ケーブルの外周側の少なくとも一部を覆い、前記外部導体接触部は前記ケーブル挿入部に挿入された前記ケーブルの外部導体に臨むシールド部材と、
前記外部導体接触部を押圧して前記外部導体接触部を前記ケーブル挿入部に挿入された前記ケーブルの外部導体に向けて変位させ、または前記ケーブル挿入部に挿入された前記ケーブルを押圧して前記ケーブルを前記外部導体接触部に向けて変位させることにより、前記外部導体接触部と前記外部導体とを互いに接触させる押圧機構とを備えていることを特徴とするコネクタ。
【請求項２】
前記外部導体接触部は、前記ケーブル挿入部内において、前記ケーブル挿入部内に挿入された前記ケーブルの外部導体の外周側に配置され、前記押圧機構は前記外部導体接触部を前記第１の収容部の径方向内向きに変位させることにより前記外部導体に接触させることを特徴とする請求項１に記載のコネクタ。
【請求項３】
前記押圧機構は前記外部導体接触部を前記ケーブル挿入部に挿入された前記ケーブルの外部導体へ押圧する押圧部材を備え、
前記押圧部材は、リング状に形成され、内側に前記ケーブルが挿通されるリング部と、前記リング部から前記第１の収容部のＸ方向他端側へ向かって伸長し、前記第１の収容部のＸ方向一端側に向かうに連れて前記第１の収容部の径方向内向きに傾斜する傾斜面を有する加圧部とを備え、
前記押圧部材は、前記加圧部の傾斜面が前記外部導体接触部の端部に接触した状態で前記第１の収容部のＸ方向他端側へ移動することにより前記外部導体接触部を前記第１の収容部の径方向内向きに押圧することを特徴とする請求項２に記載のコネクタ。
【請求項４】
前記外部導体接触部は、前記ケーブル挿入部内において、前記ケーブル挿入部内に挿入された前記ケーブルの外部導体の外周側に配置され、前記押圧機構は前記ケーブルを前記外部導体接触部に向けて前記第１の収容部の径方向に変位させることにより前記ケーブルの外部導体を前記外部導体接触部に接触させることを特徴とする請求項１に記載のコネクタ。
【請求項５】
前記押圧機構は前記ケーブル挿入部に挿入された前記ケーブルを前記外部導体接触部へ押圧する押圧部材を備え、
前記押圧部材は、リング状に形成され、内側に前記ケーブルが挿通されるリング部と、前記リング部から前記第１の収容部のＸ方向他端側へ向かって伸長し、前記ケーブルの外周面に臨む加圧部とを備え、
前記ケーブル挿入部の内面には、前記第１の収容部のＸ方向他端側に向かうに連れて前記第１の収容部の径方向内向きに傾斜する傾斜部が形成され、
前記押圧部材は、前記加圧部の端部が前記傾斜部に接触した状態で前記第１の収容部のＸ方向他端側へ移動することにより前記加圧部を変位させ、当該変位した加圧部により前記ケーブルを前記外部導体接触部へ向けて前記第１の収容部の径方向に押圧することを特徴とする請求項４に記載のコネクタ。
【請求項６】
前記シールド部材本体には、前記端子配置部内に配置された接地端子（２５Ｂ）と接触する端子接触部が形成されていることを特徴とする請求項１ないし５のいずれかに記載のコネクタ。
【請求項７】
請求項１ないし６のいずれかに記載のコネクタを前記ケーブルに取り付けるコネクタ取付方法であって、
前記シールド部材を前記ハウジングのＬ字状の空間内に取り付けるシールド部材取付工程と、
前記シールド部材が取り付けられた前記ハウジングのケーブル挿入部に前記ケーブルを挿入するケーブル挿入工程と、
前記押圧機構により、前記シールド部材の外部導体接触部と、前記ケーブル挿入部に挿入されたケーブルの外部導体とを互いに接触させる外部導体接触工程と、
前記ケーブル挿入工程後かつ前記外部導体接触工程前、または、前記外部導体接触工程の後に、前記複数の内部ケーブルと前記複数の端子とをそれぞれ接続し、前記内部ケーブルが接続された前記各端子を前記ハウジングの端子配置部内に配置する端子配置工程とを備えていることを特徴とするコネクタ取付方法。
【発明の詳細な説明】
【技術分野】
【０００１】
本発明は、回路または装置等との間を電気的に接続するコネクタ、および当該コネクタをケーブルに取り付けるコネクタ取付方法に関する。
【背景技術】
【０００２】
例えば産業用ロボットに搭載されたモータ等の電気装置を制御するために、電気装置に多芯ケーブルを接続し、電気装置へ数種の制御信号を送ることがある。この際、多芯ケーブルを電気装置へ接続するために、多極のコネクタが用いられることがある。また、ケーブルの配索やコネクタの配置の省スペース化等のために、ケーブルの取付方向（引出方向）とコネクタの脱着方向とが交差したＬ型のコネクタが用いられることがある。また、制御信号からの電磁波の外部への放射や外部からの電磁波の侵入を抑制するために、コネクタに取り付けられたケーブル（制御信号が流れる内部導体）とコネクタに設けられた端子との間を電磁シールドするシールド部材を備えたコネクタが用いられることがある。下記の特許文献１および２には、ケーブルの端部に取り付けられるタイプであり、シールド部材を備えた多極のＬ型コネクタが記載されている。
【先行技術文献】
【特許文献】
【０００３】
【特許文献１】特開平７−２４０２４９号公報
【特許文献２】特開２０１１−１１９１２０号公報
【発明の概要】
【発明が解決しようとする課題】
【０００４】
ケーブルの端部に取り付けられると共にシールド部材を備えた多極のＬ型コネクタは、その構造上、小型化が難しい。すなわち、図１３は、ケーブルの端部に取り付けられると共にシールド部材を備えた多極かつＬ型の従来のコネクタを示している。図１３（Ａ）に示すように、コネクタ１０１は、基端側の開口部１０３と先端側の開口部１０４との開口方向が互いに９０度異なるＬ字状のコネクタハウジング１０２を備え、基端側の開口部１０３には多芯ケーブル１１０が挿入され、先端側の開口部１０４付近には、複数の端子１０５が取り付けられた端子ハウジング１０６が配置されている。また、コネクタハウジング１０２内において、多芯ケーブル１１０の内部に設けられた複数の内部ケーブル１１１の端部が、多芯ケーブル１１０の外部導体１１２から露出し、これら内部ケーブル１１１の内部導体が端子１０５にそれぞれ接続されている。また、コネクタハウジング１０２内には、多芯ケーブル１１０の外部導体１１２から露出した複数の内部ケーブル１１１および複数の端子１０５をまとめて覆うシールド部材１０７が設けられている。シールド部材１０７は多芯ケーブル１１０の外部導体１１２に、例えばシールド部材１０７に形成されたバレル部１０８に多芯ケーブル１１０の外部導体１１２を圧着するといった手段により、接続されている。
【０００５】
このようなコネクタ１０１は次のような方法により多芯ケーブル１１０に取り付けられる。すなわち、図１３（Ｂ）に示すように、まず、多芯ケーブル１１０をコネクタハウジング１０２の基端側の開口部１０３に挿入し、コネクタハウジング１０２内を通してコネクタハウジング１０２の先端側の開口部１０４から出し、その状態で、多芯ケーブル１１０の各内部ケーブル１１１の内部導体に端子１０５を接続した後、各端子１０５を端子ハウジング１０６に取り付ける。次に、コネクタハウジング１０２の先端側の開口部１０４から出た多芯ケーブル１１０の外部導体１１２にシールド部材１０７のバレル部１０８を圧着する。次に、多芯ケーブル１１０を引き戻しつつ、多芯ケーブル１１０の端部に一体化されたシールド部材１０７、各端子１０５および端子ハウジング１０６を、コネクタハウジング１０２の先端側の開口部１０４からコネクタハウジング１０２内に引き入れる。
【０００６】
コネクタ１０１を多芯ケーブル１１０に取り付けるに当たり、コネクタハウジング１０２の先端側の開口部１０４から出た多芯ケーブル１１０の外部導体１１２に接続されたシールド部材１０７を開口部１０４から引き入れて、図１３（Ａ）に示す位置に配置する際には、コネクタハウジング１０２内で、シールド部材１０７を多芯ケーブル１１０の外部導体１１２に接続された状態で９０度回転させなければならない。このため、コネクタハウジング１０２内に大きな空間を形成する必要がある。この結果、コネクタハウジング１０２が大型化する。それゆえ、コネクタ１０１を小型化することは困難である。
【０００７】
一方、特許文献１または２に記載されたコネクタでは、コネクタハウジングを２個以上の部材に分割することにより、シールド部材をコネクタハウジング内に組み付け、かつシールド部材と多芯ケーブルの外部導体との電気的接続を形成する構成を有している。このようなコネクタでは、コネクタハウジングを構成する２個以上の部材を結合するための構造が必要であるため、コネクタが大型化する。また、コネクタに防水機能を持たせる場合には、図１３に示すコネクタ１０１のように、コネクタハウジング１０２が１部材である場合には、コネクタハウジング１０２の各開口部１０３、１０４に防水構造を設ければよいが、コネクタハウジング１０２が２部材である場合には、部材同士の結合部分にも防水構造を設けなければならず、それゆえ、コネクタが一層大型化する。
【０００８】
本発明は例えば上述したような問題に鑑みなされたものであり、本発明の課題は、ケーブルの端部に取り付けられると共にシールド部材を備えた多極かつＬ型の小型のコネクタおよびコネクタ取付方法を提供することにある。
【課題を解決するための手段】
【０００９】
上記課題を解決するために、本発明のコネクタの一態様は、複数の内部ケーブルと、複数の内部ケーブルのうちの少なくとも一部の内部ケーブルの外周側を包囲する外部導体とを備えたケーブルの端部に取り付けられるコネクタであって、複数の内部ケーブルとそれぞれ接続される複数の端子と、軸方向がＸ方向である筒状の第１の収容部および軸方向がＸ方向と交差するＺ方向である筒状の第２の収容部を有し、第１の収容部の一端部にはケーブルを挿入するケーブル挿入部が形成され、第１の収容部の他端部と第２の収容部の一端部とがそれぞれの内部の空間が連通するように互いに結合し、第２の収容部の他端部には複数の端子を配置する端子配置部が形成されたハウジングと、ハウジング内に配置され、シールド部材本体と外部導体接触部とを備え、シールド部材本体は複数の端子の外周側の少なくとも一部または複数の内部ケーブルの外周側の少なくとも一部を覆い、外部導体接触部はケーブル挿入部に挿入されたケーブルの外部導体に臨むシールド部材と、外部導体接触部を押圧して外部導体接触部をケーブル挿入部に挿入されたケーブルの外部導体に向けて変位させ、またはケーブル挿入部に挿入されたケーブルを押圧してケーブルを外部導体接触部に向けて変位させることにより、外部導体接触部と外部導体とを互いに接触させる押圧機構とを備えている。
【００１０】
また、上述した本発明のコネクタの一態様において、外部導体接触部は、ケーブル挿入部内において、ケーブル挿入部内に挿入されたケーブルの外部導体の外周側に配置され、押圧機構は外部導体接触部を第１の収容部の径方向内向きに変位させることにより外部導体に接触させる構成としてもよい。この場合において、押圧機構は外部導体接触部をケーブル挿入部に挿入されたケーブルの外部導体へ押圧する押圧部材を備え、押圧部材は、リング状に形成され、内側にケーブルが挿通されるリング部と、リング部から第１の収容部のＸ方向他端側へ向かって伸長し、第１の収容部のＸ方向一端側に向かうに連れて第１の収容部の径方向内向きに傾斜する傾斜面を有する加圧部とを備え、押圧部材は、加圧部の傾斜面が外部導体接触部の端部に接触した状態で第１の収容部のＸ方向他端側へ移動することにより外部導体接触部を第１の収容部の径方向内向きに押圧する構成とすることが好ましい。
【００１１】
また、上述した本発明のコネクタの一態様において、外部導体接触部は、ケーブル挿入部内において、ケーブル挿入部内に挿入されたケーブルの外部導体の外周側に配置され、押圧機構はケーブルを外部導体接触部に向けて第１の収容部の径方向に変位させることによりケーブルの外部導体を外部導体接触部に接触させる構成としてもよい。この場合において、押圧機構はケーブル挿入部に挿入されたケーブルを外部導体接触部へ押圧する押圧部材を備え、押圧部材は、リング状に形成され、内側にケーブルが挿通されるリング部と、リング部から第１の収容部のＸ方向他端側へ向かって伸長し、ケーブルの外周面に臨む加圧部とを備え、ケーブル挿入部の内面には、第１の収容部のＸ方向他端側に向かうに連れて第１の収容部の径方向内向きに傾斜する傾斜部が形成され、押圧部材は、加圧部の端部が傾斜部に接触した状態で第１の収容部のＸ方向他端側へ移動することにより加圧部を変位させ、当該変位した加圧部によりケーブルを外部導体接触部へ向けて第１の収容部の径方向に押圧する構成とすることが好ましい。
【００１２】
また、上述した本発明のコネクタの一態様において、シールド部材本体に、端子配置部内に配置された接地端子と接触する端子接触部を形成してもよい。
【００１３】
上記課題を解決するために、本発明のコネクタ取付方法の一態様は、本発明の上述した態様のコネクタをケーブルに取り付けるコネクタ取付方法であって、シールド部材をハウジングのＬ字状の空間内に取り付けるシールド部材取付工程と、シールド部材が取り付けられたハウジングのケーブル挿入部にケーブルを挿入するケーブル挿入工程と、押圧機構により、シールド部材の外部導体接触部と、ケーブル挿入部に挿入されたケーブルの外部導体とを互いに接触させる外部導体接触工程と、ケーブル挿入工程後かつ外部導体接触工程前、または、外部導体接触工程の後に、複数の内部ケーブルと複数の端子とをそれぞれ接続し、内部ケーブルが接続された各端子をハウジングの端子配置部内に配置する端子配置工程とを備えている。
【発明の効果】
【００１４】
本発明によれば、ケーブルの端部に取り付けられると共にシールド部材を備えた多極のＬ型コネクタの小型化を図ることができる。
【図面の簡単な説明】
【００１５】
【図１】上側方から見た本発明の実施形態のコネクタを相手コネクタと共に示す外観図である。
【図２】上方から見た本発明の実施形態のコネクタを示す外観図である。
【図３】図２中の矢示ＩＩＩ−ＩＩＩ方向から見た本発明の実施形態のコネクタを示す断面図である。
【図４】図３中のコネクタにおいて端子ハウジングをコネクタハウジング内に配置する前の状態を示す断面図である。
【図５】本発明の実施形態のコネクタの分解図である。
【図６】図３と同じ方向から見た本発明の実施形態のコネクタにおけるコネクタハウジングおよびシールド部材を示す断面図である。
【図７】下方から見た本発明の実施形態のコネクタにおけるコネクタハウジングおよびシールド部材を示す外観図である。
【図８】後方から見た本発明の実施形態のコネクタにおけるコネクタハウジングおよびシールド部材を示す外観図である。
【図９】上側方から見た本発明の実施形態のコネクタにおけるシールド部材を示す外観図である。
【図１０】下側方から見た本発明の実施形態のコネクタにおけるシールド部材を示す外観図である。
【図１１】上側方から見た本発明の実施形態のコネクタにおける押圧部材を示す外観図である。
【図１２】本発明の実施形態のコネクタにおいて、シールド部材の接触片および多芯ケーブルを押圧する押圧部材の作用を示す説明図である。
【図１３】従来のコネクタを示す説明図である。
【発明を実施するための形態】
【００１６】
図１は、本発明の実施形態のコネクタ１を相手コネクタ８１と共に示している。図２ないし図５はコネクタ１を示している。詳しくは、図２はコネクタ１を上方から見た図であり、図３は図２中の矢示ＩＩＩ−ＩＩＩ方向から見たコネクタ１の断面図である。図４は、コネクタ１において端子ハウジング２９をコネクタハウジング２内に配置する前の状態を示す図であり、図５はコネクタ１の分解図である。以下、コネクタ１等の各部の形状、位置、向き等を前、後、左、右、上または下といった方向を用いて説明する場合には、説明の便宜上、図１等の右下に描かれている矢印が指し示すＸ１方向を前方向、Ｘ２方向を後ろ方向、Ｙ１方向を左方向、Ｙ２方向を右方向、Ｚ１方向を上方向、およびＺ２方向を下方向とする。
【００１７】
図１において、コネクタ１は、ケーブルの端部に取り付けられるタイプであって、内部にシールド部材を備えた多極のＬ型コネクタである。コネクタ１は多芯ケーブル７１の先端部に取り付けられる。
【００１８】
多芯ケーブル７１は、図３に示すように、複数（例えば６本）の内部ケーブル７２と、内部ケーブル７２の外周側をまとめて包囲する外部導体７５と、外部導体７５の外周側を覆う絶縁被膜７６とを備えている。外部導体７５は例えば編組である。各内部ケーブル７２は、内部導体７３と、内部導体７３の外周側を覆う絶縁体７４とを備えている。多芯ケーブル７１の先端部は端末処理が施されている。すなわち、絶縁被膜７６の先端部が除去され、外部導体７５の先端部が多芯ケーブル７１の外周側へ折り返され、各内部ケーブル７２の先端部が外部導体７５から露出している。また、折り返された外部導体７５の外周側には銅テープ７７が巻かれている。
【００１９】
相手コネクタ８１は例えばモータ等の電気装置に取り付けられる。相手コネクタ８１は、図１に示すように、嵌合部８３を備えたコネクタハウジング８２、並びにコネクタハウジング８２内に設けられた複数の信号端子８５Ａおよび１個の接地端子８５Ｂを備えている。さらに、嵌合部８３の外周側には、防水のためにコネクタ１と相手コネクタ８１との間をシールするシールリング８６が設けられている。また、コネクタハウジング８２には、コネクタ１のロック部材１９に設けられた係合部２１と係合する金属製の係合爪８７が設けられている。
【００２０】
コネクタ１は、図３に示すように、コネクタハウジング２と、コネクタ１を相手コネクタ８１に抜け止めするロック部材１９と、内部ケーブル７２の内部導体７３が接続されると共に相手コネクタ８１の端子８５Ａ、８５Ｂと接触する複数の端子２５Ａ、２５Ｂと、各端子２５Ａ、２５Ｂを支持する端子ハウジング２９と、多芯ケーブル７１の外部導体７５から露出した各内部ケーブル７２および各端子２５Ａ、２５Ｂを電磁シールドするシールド部材３３と、シールド部材３３の一部と多芯ケーブル７１の先端部とを互いに押し付けることによりシールド部材３３と外部導体７５とを電気的に接続する押圧機構４３とを備えている。
【００２１】
図６ないし図８は、シールド部材３３が取り付けられたコネクタハウジング２を示している。詳しくは、図６は図３と同じ方向から見たコネクタハウジング２およびシールド部材３３の断面を示している。図７および図８は、下方および後方からコネクタハウジング２およびシールド部材３３をそれぞれ示している。
【００２２】
図６に示すように、コネクタハウジング２は樹脂等の非導電材料により形成されている。コネクタハウジング２は、軸方向が前後方向（Ｘ方向）である筒状の第１の収容部３と、軸方向が前後方向と交差する上下方向（Ｚ方向）である筒状の第２の収容部４とを有し、第１の収容部３の前部と第２の収容部４の上部とが、それぞれ内部の空間が連通するように互いに結合したＬ字状に形成されている。また、第１の収容部３の後端部には、後方に向かって開口する後端開口部５が形成され、第２の収容部４の下端部には、下方に向かって開口する下端開口部６が形成されている。また、第１の収容部３の後部には、多芯ケーブル７１の先端部を挿入するケーブル挿入部７が形成され、第２の収容部４の下部には複数の端子２５Ａ、２５Ｂを配置する端子配置部８が形成されている。
【００２３】
また、図６および図７に示すように、コネクタハウジング２において、第１の収容部３の前部と第２の収容部４の上部とが結合する部分の右壁内面および左壁内面には、端子ハウジング２９を係止するための凸状の端子ハウジング係止部９がそれぞれ形成されている。また、コネクタハウジング２において、第１の収容部３の前部と第２の収容部４の上部とが結合する部分の上壁内面には、シールド部材３３を固定するためのシールド部材固定部１１が形成されている。
【００２４】
また、第１の収容部３において、前後方向中間部よりもやや後方に位置する部分には、第１の収容部３の内面が全周に亘って径方向内向きに突出し、内径がその前後の部分よりも小さくなった縮径部１２が形成されている。図６中の二点鎖線で囲んだ部分が縮径部１２である。さらに、図８に示すように、縮径部１２の後端側には４個の凹部１３が形成されている。これら凹部１３は、縮径部１２の上部、下部、左部および右部にそれぞれ位置し、縮径部１２の周方向において９０度の間隔を持って配置されている。また、４個の凹部１３のうち、下部に位置する凹部１３の下面には、図６に示すように、前方に向かうに連れて上方（第１の収容部３の径方向内向き）に傾斜する傾斜部１４が形成されている。後述するように、縮径部１２の上部、下部、左部および右部にそれぞれ位置する凹部１３内には、押圧部材４４のシールド部材加圧片４６、ケーブル加圧片４７、一方の位置決め片４８および他方の位置決め片４８がそれぞれ挿入される。
【００２５】
また、第１の収容部３の後部外周面には、ケーブル保持部材５４を締着するためのねじ部１５が形成されている。なお、図５および図７ではねじ部１５の図示を省略している。また、第１の収容部３の後端部には、後方へ突出し、ケーブル締付部材５０の一対のシール部材支持片５２と嵌合する一対の嵌合片１６が形成されている。
【００２６】
また、図２および図７に示すように、コネクタハウジング２の第１の収容部３と第２の収容部４との結合部分には、外力によるコネクタハウジング２の変形を抑制する補強部１７、１８が第２の収容部４の外周部から後方へ延びる板状に形成されている。
【００２７】
また、コネクタ１を相手コネクタ８１に抜け止めするロック部材１９は、図１に示すように、コネクタハウジング２の前部の左側および右側に略上下方向に回動可能に支持されている。ロック部材１９には、コネクタ１を相手コネクタ８１にロックする際にロック部材１９を押し下げる操作部２０が設けられている。また、ロック部材１９には、ロック部材１９が押し下げられたときに、相手コネクタ８１のコネクタハウジング８２に形成された一対の係合爪８７と係合する一対の係合部２１（左側のみ図示）が設けられている。また、ロック部材１９が押し下げられたときに、ロック部材１９に形成された一対の引っ掛け爪部２２が、コネクタハウジング２の前面に形成された一対の突起２３に係合することにより、コネクタ１と相手コネクタ８１とのロック状態が保持されるようになっている。
【００２８】
また、ロック部材１９の左部および右部において、回動軸６１の周囲の一部が係合部２１の伸長方向に沿って延び、その自由端に三角形のカム部６２が形成されている。ロック部材１９がロック状態から解除操作された際には、係合爪８７の上縁とカム部６２が当接して作用点となり、コネクタ１を相手コネクタ８１から離脱させる。この構成によれば、ロック部１９の解除操作によりコネクタ１を相手コネクタ８１から円滑に離脱させることができる。なお、係合爪８７の上縁にも頂点を設けることにより、コネクタ１を相手コネクタ８１から離脱させる動作をより円滑にすることができる。
【００２９】
コネクタ１は複数（例えば６個）の信号端子２５Ａおよび１個の接地端子２５Ｂを有している。図４に示すように、各信号端子２５Ａは導電材料により形成された圧着端子である。各信号端子２５Ａの下端側（先端側）には相手コネクタ８１の信号端子８５Ａと接触する接触端部２６が形成されている。また、各信号端子２５Ａの上端側（基端側）には内部ケーブル７２の内部導体７３がかしめ固定されて接続される接続端部２７が形成されている。一方、接地端子２５Ｂは、導電材料により形成され、接地端子２５Ｂの下端側には相手コネクタ８１の接地端子８５Ｂと接触する接触端部２６が形成されている。また、接地端子２５Ｂの上端側にはシールド部材３３に形成された端子接触部３９が接触する面を有するシールド部材接触部２８が形成されている。
【００３０】
各端子２５Ａ、２５Ｂを支持する端子ハウジング２９は、図５に示すように、樹脂等の非導電材料により形成されている。端子ハウジング２９には、端子２５Ａ、２５Ｂを支持するための複数の端子支持孔３０が形成されている。端子２５Ａ、２５Ｂは端子支持孔３０にそれぞれ挿入され、抜け止め固定される。また、図５に示すように、端子ハウジング２９の左面および右面には、端子ハウジング２９をコネクタハウジング２の端子配置部８に固定するための凹状係止部３１がそれぞれ形成されている。各凹状係止部３１は、コネクタハウジング２に形成された端子ハウジング係止部９と係合する。
【００３１】
図９および図１０は上側方および下側方から見たシールド部材３３をそれぞれ示している。図９に示すように、シールド部材３３は、導電材料により形成されている。シールド部材３３は、シールド部材本体３４と、外部導体接触部としての接触片４１とを備えている。
【００３２】
シールド部材本体３４は、コネクタハウジング２内において、多芯ケーブル７１の外部導体７５から露出した各内部ケーブル７２および各端子２５Ａ、２５Ｂの上側および前側を覆い、これらを電磁シールドする部分である。シールド部材本体３４は、各内部ケーブル７２および各端子２５Ａ、２５Ｂの上側を覆う上板部３５を備えている。上板部３５は、図６に示すように、平板のいくつかの箇所を上下方向または前後方向に曲げることにより形成され、コネクタハウジング２の上壁内面の形状に沿うように上方に盛り上がった形状を有している。また、シールド部材本体３４は、各内部ケーブル７２および各端子２５Ａ、２５Ｂの前側を覆う略平板状の前板部３６を備えている。前板部３６は、コネクタハウジング２の前壁内面の形状に沿った形状を有している。このようにシールド部材本体３４をコネクタハウジング２の壁部内面に沿うように形成し、配置することにより、コネクタハウジング２が小型であるにもかかわらず、コネクタハウジング２内において、各内部ケーブル７２および端子ハウジング２９を収容する大きい空間を確保している。
【００３３】
また、図１０に示すように、シールド部材本体３４の上板部３５の４隅の部分には、シールド部材３３をコネクタハウジング２に固定するための固定片３７Ａ、３７Ｂ、３７Ｃ、３７Ｄがそれぞれ設けられている。固定片３７Ａ、３７Ｂは、シールド部材本体３４の左前端部および右前端部から下向きにそれぞれ伸長し、これら固定片３７Ａ、３７Ｂの下端部は左右上下に拡がる平板状にそれぞれ形成されている。一方、固定片３７Ｃ、３７Ｄは、シールド部材本体３４の左後端部および右後端部から下向きにそれぞれ伸長し、これら固定片３７Ｃ、３７Ｄの下端部は前後上下に拡がる平板状にそれぞれ形成されている。
【００３４】
シールド部材３３は、各固定片３７Ａ、３７Ｂ、３７Ｃ、３７Ｄがコネクタハウジング２の各シールド部材固定部１１に形成された固定溝３８Ａ、３８Ｂ、３８Ｃ、３８Ｄに挿入されることによりコネクタハウジング２に固定されている。すなわち、図７に示すように、コネクタハウジング２において、第１の収容部３の前部と第２の収容部４の上部とが結合する部分の上壁内面の四隅の部分にはシールド部材固定部１１がそれぞれ形成されている。各シールド部材固定部１１は、図６に示すように、第１の収容部３の前部と第２の収容部４の上部とが結合する部分の上壁内面から下方に突出し、その突出端面には固定溝３８Ａ、３８Ｂ、３８Ｃ、３８Ｄが形成されている。上記上壁内面の左前部に位置するシールド部材固定部１１に形成された固定溝３８Ａは、深さ方向が上方向であり、長さ方向が左右方向であり、幅方向が前後方向であり、幅寸法に比して長さ寸法が大きく、下方および右方に開口している。上記上壁内面の左後部に位置するシールド部材固定部１１に形成された固定溝３８Ｃは、深さ方向が上方向であり、長さ方向が前後方向であり、幅方向が左右方向であり、幅寸法に比して長さ寸法が大きく、下方および前方に開口している。上記上壁内面の右前部および右後部に位置するシールド部材固定部１１に形成された固定溝３８Ｂ、３８Ｄは、上記上壁内面の左前部および左後部に位置するシールド部材固定部１１に形成された固定溝３８Ａ、３８Ｃと左右対称の形状をそれぞれ有している。シールド部材本体３４の固定片３７Ａ、３７Ｂ、３７Ｃ、３７Ｄは、固定溝３８Ａ、３８Ｂ、３８Ｃ、３８Ｄにそれぞれ圧入されている。これにより、シールド部材３３はコネクタハウジング２に固定されている。
【００３５】
また、シールド部材本体３４の各固定片３７Ａ、３７Ｂ、３７Ｃ、３７Ｄは、当該固定片の縁部が固定溝３８Ａ、３８Ｂ、３８Ｃ、３８Ｄからはみ出ないように当該固定溝内に埋没している。これにより、コネクタハウジング２内の内部ケーブル７２が固定片３７Ａ、３７Ｂ、３７Ｃ、３７Ｄのいずれかの縁部に擦れ、内部ケーブル７２の絶縁体７４が切れることを防止することができる。
【００３６】
また、図９に示すように、シールド部材本体３４の右前端部には、接地端子２５Ｂのシールド部材接触部２８と接触する端子接触部３９が設けられている。図３には、端子接触部３９が接地端子２５Ｂのシールド部材接触部２８に接触した状態が図示されている。コネクタ１を多芯ケーブル７１に取り付ける作業を行う際には、事前にシールド部材３３が固定されたコネクタハウジング２に端子ハウジング２９を取り付けることにより、シールド部材３３の端子接触部３９と接地端子２５Ｂのシールド部材接触部２８とを接触させることができ、シールド部材３３の接地または多芯ケーブル７１の外部導体７５の接地を容易に形成することができる。
【００３７】
また、シールド部材３３の接触片４１は、図９に示すように、シールド部材本体３４の後端部の左右方向中間部から後方へ伸長している。厳密には、図６に示すように、接触片４１は、コネクタハウジング２の上壁内面の形状に沿うように、シールド部材本体３４の後端部から下方に傾斜しつつ後方へ伸長した後に曲がり、その後、第１の収容部３の軸方向と平行に伸長している。また、接触片４１は、コネクタハウジング２の縮径部１２内の空間の上部であって、縮径部１２の上壁内面に接近した位置に配置されている。また、図３に示すように、接触片４１の後端部（先端部）は、ケーブル挿入部７に挿入された多芯ケーブル７１の外部導体７５の上方（外周側）であり、かつ、縮径部１２の上部に位置する凹部１３の下方に配置されている。すなわち、接触片４１の後端部の上面は、縮径部１２の上部に位置する凹部１３に臨み、接触片４１の後端部の下面は、ケーブル挿入部７に挿入された多芯ケーブル７１の外部導体７５に臨んでいる。また、図９に示すように、接触片４１の後端部の上部には、例えば接触片４１の最後端部を上方に折り畳むことにより、上方に突出する上方突出部４１Ａが形成されている。また、図１０に示すように、接触片４１の後端部の下部には、例えばプレス加工によって接触片４１の後端部の一部を変形させることにより、下方に突出する下方突出部４１Ｂが形成されている。
【００３８】
また、接触片４１は、前後左右方向に拡がる平板状であるが、シールド部材本体３４に比して左右方向の寸法が小さく、前後方向に細長い形状を有している。また、接触片４１はその後端部に力を加えることにより、上下方向に弾性変形することができる。
【００３９】
シールド部材３３と外部導体７５とを電気的に接続する押圧機構４３は、図５に示すように、押圧部材４４、ケーブル締付部材５０およびケーブル保持部材５４を備えている。押圧部材４４は、シールド部材３３の接触片４１と多芯ケーブル７１の先端部とを互いに押し付けることにより接触片４１と外部導体７５とを接触させる部材である。ケーブル締付部材５０は、ケーブル挿入部７に挿入された多芯ケーブル７１の絶縁被膜７６の外周面を締め付けてコネクタハウジング２に多芯ケーブル７１を固定する部材である。ケーブル保持部材５４は、押圧部材４４、ケーブル締付部材５０および多芯ケーブル７１をコネクタハウジング２に保持する機能、およびコネクタ１の多芯ケーブル７１への取付時に押圧部材４４を前方へ移動させる機能を有する部材である。また、本実施形態のコネクタ１においては、押圧部材４４とケーブル締付部材５０との間に、防水のためにコネクタ１と多芯ケーブル７１との間をシールするリング状のシール部材５７が設けられており、シールド部材３３も、ケーブル保持部材５４によりコネクタハウジング２に保持される。
【００４０】
図１１は押圧部材４４の構成を示している。図１２は押圧部材４４の作用を示している。本実施形態における押圧部材４４は、樹脂等により形成されているが、金属等により形成してもよい。図１１に示すように、押圧部材４４は、リング部４５、シールド部材加圧片４６、ケーブル加圧片４７および一対の位置決め片４８を備えている。
【００４１】
リング部４５はリング状に形成され、その内側には多芯ケーブル７１が挿通される。シールド部材加圧片４６は、リング部４５の上部から、前方へ向かって伸長している。シールド部材加圧片４６の左右方向の寸法（幅寸法）は、コネクタハウジング２の縮径部１２の上部に位置する凹部１３の左右方向の寸法よりも僅かに小さい寸法に設定されている。また、シールド部材加圧片４６の前端部においてその下面または前端面には、図１２（Ａ）に示すように、後方に向かうに連れて下方（第１の収容部３の径方向内向き）に傾斜する傾斜面４９が形成されている。一方、ケーブル加圧片４７は、リング部４５の下部から、前方へ向かって伸長している。ケーブル加圧片４７の左右方向の寸法（幅寸法）は、コネクタハウジング２の縮径部１２の下部に位置する凹部１３の左右方向の寸法よりも僅かに小さい寸法に設定されている。また、一対の位置決め片４８は、リング部４５の左部および右部から、前方へ向かってそれぞれ伸長している。位置決め片４８の上下方向の寸法（幅寸法）は、コネクタハウジング２の縮径部１２の左部および右部にそれぞれ位置する凹部１３の上下方向の寸法よりも僅かに小さい寸法に設定されている。
【００４２】
図１２（Ａ）に示すように、押圧部材４４は、コネクタハウジング２の後端開口部５からコネクタハウジング２の第１の収容部３の後部（ケーブル挿入部７）に挿入される。押圧部材４４が第１の収容部３の中間部に近づくように前方に移動すると、図１２（Ｂ）に示すように、押圧部材４４のシールド部材加圧片４６が、コネクタハウジング２の縮径部１２の上部に位置する凹部１３に挿入される。このとき、シールド部材加圧片４６の前端部に形成された傾斜面４９が、シールド部材３３の接触片４１の後端部（先端部）に当たり（具体的には上方突出部４１Ａに当たり）、接触片４１の後端部を押圧する。傾斜面４９は後方に向かうに連れて下方に傾斜しているので、押圧部材４４の前方への移動に伴って接触片４１の後端部が傾斜面４９に押されることにより、接触片４１の後端部には下向きの力が加わる。この力により、接触片４１が弾性変形し、接触片４１の後端部が下方に変位する。この結果、図４に示すように、接触片４１が、ケーブル挿入部７に挿入された多芯ケーブル７１の外部導体７５の上面に強く接触する（具体的には下方突出部４１Ｂが外部導体７５の上面に強く接触する）。
【００４３】
また、押圧部材４４が第１の収容部３の後部に挿入され、第１の収容部３の中間部に近づくように前方に移動すると、図１２（Ｂ）に示すように、押圧部材４４のケーブル加圧片４７が、コネクタハウジング２の縮径部１２の下部に位置する凹部１３に挿入される。このとき、ケーブル加圧片４７の前端側（先端側）の下面が当該凹部１３の下面に形成された傾斜部１４に当たる。傾斜部１４は、前方に向かうに連れて上方に傾斜しているので、押圧部材４４が前方へ移動している間にケーブル加圧片４７の前端側が傾斜部１４に当たることにより、ケーブル加圧片４７が弾性変形し、ケーブル加圧片４７の前端部が傾斜部１４に押圧されて上方へ変位する。この結果、図４に示すように、ケーブル加圧片４７の前端部が、ケーブル挿入部７に挿入された多芯ケーブル７１の下面に接触し、当該多芯ケーブル７１の先端部を上方へ押し、外部導体７５の上面をシールド部材３３の接触片４１の後端部へ押し付ける。
【００４４】
また、押圧部材４４が第１の収容部３の後部に挿入され、第１の収容部３の中間部に近づくように前方に移動すると、押圧部材４４の一対の位置決め片４８が、コネクタハウジング２の縮径部１２の左部および右部にそれぞれ位置する凹部１３に挿入される。これにより、コネクタハウジング２内において押圧部材４４がコネクタハウジング２の径方向において位置決めされる。
【００４５】
ケーブル締付部材５０は、図５に示すように、樹脂または金属等により形成されおり、リング状に形成され、内側に多芯ケーブル７１が挿通される基部５１と、基部５１から前方へ突出する一対のシール部材支持片５２と、基部５１から後方へ突出する複数のケーブル締付片５３とを備えている。一対のシール部材支持片５２は、主に、両者間にシール部材５７を挟持し、シール部材５７を支持する機能を有している。また、一対のシール部材支持片５２は、コネクタハウジング２の第１の収容部３の後端部に形成された一対の嵌合片１６と嵌合する。また、各ケーブル締付片５３は、図４に示すように、ケーブル保持部材５４の締付部５６に押されることにより、第１の収容部３の径方向内向きに変形し、多芯ケーブル７１を締め付けて固定する機能を有している。
【００４６】
ケーブル保持部材５４は、図５に示すように、樹脂または金属等により筒状に形成され、ケーブル保持部材５４の前端部の内面には、コネクタハウジング２の第１の収容部３の後部外周面に形成されたねじ部１５に螺合するねじ部５５が形成されている。また、ケーブル保持部材５４の後端部には、各ケーブル締付片５３を押圧して多芯ケーブル７１を締め付ける締付部５６が形成されている。
【００４７】
コネクタ１は次のような方法により多芯ケーブル７１に取り付けることができる。
（１）まず、図６に示すように、シールド部材３３をコネクタハウジング２の下端開口部６からコネクタハウジング２のＬ字状の空間内に入れ、図７に示すように、シールド部材３３の各固定片３７Ａ、３７Ｂ、３７Ｃ、３７Ｄをコネクタハウジング２の各固定溝３８Ａ、３８Ｂ、３８Ｃ、３８Ｄに圧入して、シールド部材３３をコネクタハウジング２に固定する（シールド部材取付工程）。なお、この工程は、事前に実施しておいてもよい。
（２）次に、図５に示すような端末処理を施した多芯ケーブル７１をケーブル保持部材５４、ケーブル締付部材５０、シール部材５７および押圧部材４４に通した後、多芯ケーブル７１をコネクタハウジング２の後端開口部５からケーブル挿入部７内に挿入する（ケーブル挿入工程）。このとき、多芯ケーブル７１は、端末処理により折り返された外部導体７５がコネクタハウジング２の第１の収容部３の前後方向中間部に到達する位置まで挿入すればよく、多芯ケーブル７１の先端部の全体を、コネクタハウジング２内を通して下端開口部６からコネクタハウジング２の外部へ出す必要はない。もっとも、端末処理により外部導体７５から露出した各内部ケーブル７２の先端部は下端開口部６からコネクタハウジング２の外部へ出す。
（３）次に、図１２に示すように、押圧部材４４を、後端開口部５からコネクタハウジング２内へ入れる。続いて、シール部材５７およびケーブル締付部材５０を後端開口部５からコネクタハウジング２内へ順次入れる。続いて、ケーブル保持部材５４をコネクタハウジング２の後端部に螺着する（外部導体接触工程）。これにより、ケーブル保持部材５４によってケーブル締付部材５０およびシール部材５７を介して押圧部材４４が前方に押され、押圧部材４４がコネクタハウジング２の第１の収容部３内において前方に移動する。押圧部材４４が前方に移動すると、シールド部材加圧片４６、ケーブル加圧片４７および一対の位置決め片４８がコネクタハウジング２の縮径部１２に形成された４個の凹部１３にそれぞれ入る。そして、シールド部材加圧片４６の前端部に形成された傾斜面４９がシールド部材３３の接触片４１の後端部を下方へ押圧し、これと同時に、縮径部１２の下部に位置する凹部１３に形成された傾斜部１４がケーブル加圧片４７の前端部を上方へ変位させ、ケーブル加圧片４７の前端部が多芯ケーブル７１の先端部の下面を上方へ押圧する。これにより、シールド部材３３の接触片４１の後端部が多芯ケーブル７１の外部導体７５の上面に強く接触し、シールド部材３３と外部導体７５とが電気的に接続される。
（４）次に、図４に示すように、コネクタハウジング２の下端開口部６から出ている各内部ケーブル７２の内部導体７３に信号端子２５Ａを接続した後、各信号端子２５Ａを端子ハウジング２９に取り付ける。また、接地端子２５Ｂを端子ハウジング２９に取り付ける。続いて、図３に示すように、端子ハウジング２９をコネクタハウジング２の端子配置部８へ挿入し、端子ハウジング２９に形成された一対の凹状係止部３１と、コネクタハウジング２に形成された一対の端子ハウジング係止部９と係合させる（端子配置工程）。これにより、コネクタハウジング２内において端子ハウジング２９が位置決めされると共に、シールド部材３３の端子接触部３９が、端子ハウジング２９に取り付けられた接地端子２５Ｂのシールド部材接触部２８に接触し、両者が電気的に接続される。以上、コネクタ１の多芯ケーブル７１への取付は完了する。このような方法によれば、多極かつＬ型の小型のコネクタ１を多芯ケーブル７１に容易に取り付けることができる。
【００４８】
なお、コネクタ１の多芯ケーブル７１への取付は次の方法でもよい。すなわち、シールド部材３３が固定されたコネクタハウジング２の後端開口部５から多芯ケーブル７１を挿入し、多芯ケーブル７１の先端部を、コネクタハウジング２内を通して下端開口部６から外部へ出し、その状態で、各内部ケーブル７２の内部導体７３に信号端子２５Ａを接続し、各信号端子２５Ａおよび接地端子２５Ｂを端子ハウジング２９に取り付ける。続いて、多芯ケーブル７１の先端部をコネクタハウジング２内に戻すように多芯ケーブル７１を後退させつつ、端子ハウジング２９をコネクタハウジング２の端子配置部８へ挿入して係止する。その後、押圧部材４４、シール部材５７、ケーブル締付部材５０を後端開口部５からコネクタハウジング２内へ入れて、ケーブル保持部材５４をコネクタハウジング２に螺着する。
【００４９】
本発明の実施形態のコネクタ１によれば、コネクタ１を多芯ケーブル７１に取り付けるに当たり、シールド部材３３をコネクタハウジング２に取り付けた後に、押圧機構４３によりシールド部材３３と多芯ケーブル７１の外部導体７５とを電気的に接続することができる。これにより、従来のＬ型コネクタのように、コネクタを多芯ケーブルに取り付けるに当たり、多芯ケーブルの先端部の全体をコネクタハウジングの後端開口部から内部を通して下端開口部から出し、その多芯ケーブルの外部導体にシールド部材を接続してから、多芯ケーブルの外部導体に接続されたシールド部材をコネクタハウジング内に引き入れつつ、コネクタハウジング内で回転させる必要がない。それゆえ、多芯ケーブルの外部導体に接続されたシールド部材をコネクタハウジング内で回転させるための大きな空間をコネクタハウジング２内に形成する必要がなく、よって、コネクタ１を小型化することができる。また、本発明の実施形態のコネクタ１によれば、シールド部材をコネクタハウジング内に組み付け、かつシールド部材と多芯ケーブルの外部導体との電気的接続を形成するためにコネクタハウジングを２個以上の部材に分割する必要がない。それゆえ、コネクタハウジングを構成する部材同士を結合するための構造や、コネクタハウジングを構成する部材同士の結合部分を防止するための構造が不要になり、よって、コネクタ１を小型化することができる。また、コネクタハウジングを１部材で構成することができるので、防止・防塵性能の高い防止・防塵コネクタを形成することも可能である。
【００５０】
また、本発明の実施形態のコネクタ１によれば、シールド部材３３の接触片４１を、ケーブル挿入部７に挿入された多芯ケーブル７１の外部導体７５の外周側に配置し、接触片４１を第１の収容部３の径方向内向きに変位させて外部導体７５に接触させる構成としたから、簡単な構造により、シールド部材３３と外部導体７５との電気的接続を確実に行うことができる。また、外部導体７５と接触片４１とが接触した状態で互いに摺動することがないので、コネクタ１を多芯ケーブル７１へ取り付ける際に、外部導体７５に巻かれた銅テープ７７が接触片４１に引っ掛かってめくれたり、位置ずれしたりすることを防止することができる。
【００５１】
また、押圧部材４４を前方（多芯ケーブル７１のコネクタハウジング２への挿入方向）へ移動させることにより、シールド部材３３の接触片４１を第１の収容部３の径方向内向きに変位させて外部導体７５に接触させる構成としたから、コネクタ１を多芯ケーブル７１に取り付けるに当たり、コネクタハウジング２に対するシール部材５７の装着や多芯ケーブル７１の締付固定と同時に、または連続的にシールド部材３３と外部導体７５との電気的接続を行うことができ、シールド部材３３と外部導体７５とを電気的に接続する作業を簡単化することができる。
【００５２】
また、ケーブル挿入部７に挿入された多芯ケーブル７１を第１の収容部３の径方向内向き押圧し、多芯ケーブル７１の外部導体７５をシールド部材３３の接触片４１に押し当てる構成としたから、シールド部材３３と外部導体７５との電気的接続の確実性を高めることができる。
【００５３】
また、押圧部材４４を前方へ移動させることにより、多芯ケーブル７１を第１の収容部３の径方向内向き押圧する構成としたから、シールド部材３３と外部導体７５との確実な電気的接続を簡単な作業により行うことができる。
【００５４】
また、シールド部材３３の接触片４１を下方に変位させて多芯ケーブル７１の外部導体７５の上面に押し付けると同時に、ケーブル加圧片４７を上方に変位させて多芯ケーブル７１の先端部の下面を上方に押圧する構成としたから、シールド部材３３を外部導体７５に接続するために多芯ケーブル７１に加えられる力によって、ケーブル挿入部７内において、多芯ケーブル７１の軸線がケーブル挿入部７の軸線に対して大きく位置ずれすることを防止することができ、コネクタ１の各部材の組付の安定性、およびシール部材５７のシールの確実性を高めることができる。
【００５５】
なお、上述した実施形態では、シールド部材３３の接触片４１を下方に変位させて多芯ケーブル７１の外部導体７５に押し付けると同時に、ケーブル加圧片４７を上方に変位させて多芯ケーブル７１の先端部を上方に押圧する構成としたが、シールド部材３３の接触片４１を下方に変位させて多芯ケーブル７１の外部導体７５に押し付ける構成のみを設けてもよく、またはケーブル加圧片４７を上方に変位させて多芯ケーブル７１の先端部を上方に押圧する構成のみを設けてもよい。
【００５６】
また、上述した実施形態では、押圧部材４４の一対の位置決め片４８をコネクタハウジング２の縮径部１２の左部および右部にそれぞれ位置する凹部１３に挿入することにより、押圧部材４４をコネクタハウジング２の径方向において位置決めする構成を例にあげたが、押圧部材４４の位置決め片４８に、多芯ケーブル７１がケーブル挿入部７の中心に位置するように多芯ケーブル７を左右方向に位置決めする機能を持たせてもよい。具体的には、コネクタハウジング２の縮径部１２の左部に位置する凹部１３の左面に、前方に向かうに連れて右方（第１の収容部３の径方向内向き）に傾斜する傾斜部を形成する。同様に、縮径部１２の右部に位置する凹部１３の右面に、前方に向かうに連れて左方に傾斜する傾斜部を形成する。このような傾斜部が形成された左右の凹部１３に押圧部材４４の左右の位置決め片４８がそれぞれ挿入されたときには、左側の位置決め片４８が左側の凹部１３に形成された傾斜部に押されて右方へ変位し、多芯ケーブル７１の左面に押し当たり、同時に、右側の位置決め片４８が右側の凹部１３に形成された傾斜部に押されて左方へ変位し、多芯ケーブル７１の右面に押し当たる。これにより、多芯ケーブル７１がケーブル挿入部７の中心に位置するように位置決めされる。
【００５７】
また、上述した実施形態では、ケーブル保持部材５４をコネクタハウジング２に締着することにより、押圧部材４４を前方に移動させる構成としたが、押圧部材４４を前方に移動させてから固定する構造を別途設けてもよい。
【００５８】
また、シールド部材の一部と多芯ケーブルの外部導体の一部とを前後方向に対向させ、両者を前後方向に互いに押し付けてシールド部材と外部導体とを電気的に接続する構成としてもよい。
【００５９】
また、シールド部材３３に左側板または右側板を追加してもよい。
【００６０】
また、上述した実施形態では、シールド部材３３を接地端子２５Ｂに電気的に接続する構成としたが、シールド部材を相手コネクタのシールド部材または接地端子に直接接続する構成とすることもできる。
【００６１】
また、上述した実施形態では、複数の内部ケーブル７２と、これらすべての内部ケーブル７２の外周側をまとめて包囲する外部導体７５とを備えた多芯ケーブル７１にコネクタ１を取り付ける場合を例にあげたが、コネクタ１は、例えば、複数の内部ケーブルのうちの一部の内部ケーブルのみが外部導体で包囲されている多芯ケーブル、外部導体で包囲されていない内部ケーブルと外部導体で包囲されている内部ケーブルとを別の外部導体でまとめて包囲した多芯ケーブル、または複数の内部ケーブルを外部導体で包囲することにより形成されたシールドケーブルを複数束ねた多芯ケーブル等にも取り付けることができる。
【００６２】
また、本発明は防止・防塵コネクタに適用することができるが、防止・防塵構造を特に有しないコネクタにも適用することができる。
【００６３】
また、本発明は、請求の範囲および明細書全体から読み取ることのできる発明の要旨または思想に反しない範囲で適宜変更可能であり、そのような変更を伴うコネクタおよびコネクタ取付方法もまた本発明の技術思想に含まれる。
【符号の説明】
【００６４】
１  コネクタ
２  コネクタハウジング
３  第１の収容部
４  第２の収容部
７  ケーブル挿入部
８  端子配置部
１４  傾斜部
２５Ａ  信号端子
２５Ｂ  接地端子
２８  シールド部材接触部
３３  シールド部材
３４  シールド部材本体
３９  端子接触部
４１  接触片（外部導体接触部）
４３  押圧機構
４４  押圧部材
４５  リング部
４６  シールド部材加圧片（加圧部）
４７  ケーブル加圧片（加圧部）
４９  傾斜面
７１  多芯ケーブル（ケーブル）
７２  内部ケーブル
７３  内部導体
７４  絶縁体
７５  外部導体
【図１】
2018045835.tif 000003
【図２】
2018045835.tif 000004
【図３】
2018045835.tif 000005
【図４】
2018045835.tif 000006
【図５】
2018045835.tif 000007
【図６】
2018045835.tif 000008
【図７】
2018045835.tif 000009
【図８】
2018045835.tif 000010
【図９】
2018045835.tif 000011
【図１０】
2018045835.tif 000012
【図１１】
2018045835.tif 000013
【図１２】
2018045835.tif 000014
【図１３】
2018045835.tif 000015